(57)【要約】【課題】無線ＬＡＮ対応の携帯電話端末をアクセスポイントを介して無線ＬＡＮに接続する無線ＬＡＮ接続システムにおいて、アクセスポイントへの登録と接続を簡単にする。【解決手段】本システム５０は無線ＬＡＮ対応の携帯電話端末１と、携帯電話網のサービス提供会社の携帯電話管理サーバ２０と、アクセスポイント４０を管理する無線ＬＡＮサーバ３０とを備える。携帯電話端末１は携帯電話管理サーバ２０に電話番号とアクセスポイントの登録用番号（ＳＳＩＤ等）とを送り、これを基に携帯電話管理サーバ２０でユーザ認証し、この認証を基に無線ＬＡＮサーバ３０でユーザ登録しパスワードを携帯電話端末１に送る。携帯電話端末１は受信したパスワードを自動的にアクセスポイント４０に送信しアクセスポイント４０に接続される。従って、ユーザが登録用番号を入力するだけで、携帯電話端末１は自動的にアクセスポイント４０へ登録され、簡単にＬＡＮ接続される。【選択図】図１
2012244599.tif 000002
【特許請求の範囲】
【請求項１】
無線ＬＡＮ通信機能を有する携帯電話端末と、この携帯電話端末の携帯電話網通信サービスを提供する会社の側に配された携帯電話管理サーバと、無線ＬＡＮアクセスポイントの通信管理を行う無線ＬＡＮサーバとを備え、前記無線ＬＡＮアクセスポイントを介して前記携帯電話端末をインターネット等のネットワークに接続する無線ＬＡＮ接続システムにおいて、
前記携帯電話端末は、
ユーザ所望の無線ＬＡＮアクセスポイントの識別情報である接続先情報を選択又は入力して指定するための接続先情報指定手段と、
前記接続先情報指定手段により指定された接続先情報と、該携帯電話端末の識別情報である電話識別情報を、携帯電話網を介して前記携帯電話管理サーバに送信する電話端末側電話網送信手段と、
前記電話端末側電話網送信手段により前記携帯電話管理サーバに前記接続先情報と前記電話識別情報を送信した結果、前記携帯電話管理サーバから携帯電話網を介して送信された無線接続設定情報を受信する電話端末側電話網受信手段と、
前記電話端末側電話網受信手段により受信した前記無線接続設定情報を、無線ＬＡＮを介して、前記無線ＬＡＮアクセスポイントに送信するための電話端末側無線送信手段とを備え、
前記携帯電話管理サーバは、
前記携帯電話端末から前記電話端末側電話網送信手段により送信された前記接続先情報と前記電話識別情報とを受信する電話管理サーバ側電話網受信手段と、
前記電話管理サーバ側電話網受信手段により受信した前記電話識別情報を含むユーザ情報と前記接続先情報とを、インターネット等のネットワークを介して、前記無線ＬＡＮサーバに送信する電話管理サーバ側ネットワーク送信手段と、
前記電話管理サーバ側ネットワーク送信手段により前記無線ＬＡＮサーバに前記ユーザ情報と前記接続先情報とを送信した結果、前記無線ＬＡＮサーバから送信される無線接続設定情報を、インターネット等のネットワークを介して受信する電話管理サーバ側ネットワーク受信手段と、
前記電話管理サーバ側ネットワーク受信手段により受信した無線接続設定情報を、携帯電話網を介して前記携帯電話端末に送信する電話管理サーバ側電話網送信手段とを備え、
前記無線ＬＡＮサーバは、
前記携帯電話管理サーバから前記電話管理サーバ側ネットワーク送信手段により送信された前記ユーザ情報と前記接続先情報とを、インターネット等のネットワークを介して受信する無線ＬＡＮサーバ側ネットワーク受信手段と、
前記無線ＬＡＮサーバ側ネットワーク受信手段により受信した前記ユーザ情報と前記接続先情報とに基づいて、前記接続先情報に対応した無線ＬＡＮアクセスポイントに接続可能なユーザとして、前記携帯電話端末の所有者を登録するユーザ登録手段と、
前記ユーザ登録手段によるユーザ登録後に、インターネット等のネットワークを介して、前記携帯電話管理サーバに前記無線接続設定情報を送信する無線ＬＡＮサーバ側ネットワーク送信手段とを備え、
前記携帯電話端末が、前記携帯電話管理サーバを介して前記無線ＬＡＮサーバから受信した前記無線接続設定情報を、前記電話端末側無線送信手段により前記無線ＬＡＮアクセスポイントに送信することにより、該携帯電話端末の前記無線ＬＡＮアクセスポイントへの接続設定を行うようにしたことを特徴とする無線ＬＡＮ接続システム。
【請求項２】
前記携帯電話管理サーバは、前記電話管理サーバ側ネットワーク送信手段により、前記無線ＬＡＮサーバに、前記携帯電話端末の所有者への課金方法の設定に必用な情報を送信し、
前記無線ＬＡＮサーバは、前記無線ＬＡＮサーバ側ネットワーク受信手段により受信した、前記課金方法の設定に必用な情報に基づいて、前記携帯電話端末の所有者に対する課金方法の設定を行う課金方法設定手段をさらに備えたことを特徴とする請求項１に記載の無線ＬＡＮ接続システム。
【請求項３】
前記無線接続設定情報は、パスワードのみ又はパスワードとユーザＩＤの両方であることを特徴とする請求項１又は請求項２に記載の無線ＬＡＮ接続システム。
【発明の詳細な説明】
【技術分野】
【０００１】
本発明は、無線ＬＡＮアクセスポイントを介して携帯電話端末をインターネット等のネットワークに接続する無線ＬＡＮ接続システムに関する。
【背景技術】
【０００２】
近年、ＩＥＥＥ（Institute of Electrical and Electronics Engineers；電気電子学会）８０２．１１ｂに準拠した無線ＬＡＮが広く普及してきている。また、５ＧＨｚ帯を使用するＩＥＥＥ８０２．１１ａに準拠した無線ＬＡＮも普及してきている。このような無線ＬＡＮの普及に対応して、携帯電話端末も、公衆の無線ＬＡＮのアクセスポイントを介してインターネット等のネットワークにアクセスできるようになってきている。
【０００３】
通常、このような無線ＬＡＮ対応の携帯電話端末を用いて、無料のアクセスポイントに接続する場合には、例えば、アクセスポイントの識別情報である登録用番号（ＳＳＩＤ（Service  Set  Identifier））などを携帯電話端末側で入力することにより、アクセスすることが可能である。しかしながら、新規に有料のアクセスポイントを利用する場合には、ユーザは、前述の登録用番号の入力だけでは接続されず、まず、携帯電話端末をアクセスポイントにユーザ登録し、課金方法が決定され、ユーザＩＤ、パスワードが割り振られて初めてＬＡＮ接続設定が可能となる。このため、ＬＡＮへの登録手続き及び接続設定が複雑であり、ＬＡＮ利用までに時間と手間が掛かっていた。
【０００４】
例えば、無線ＬＡＮアクセスポイントが比較的近くにある空港ロビーや駅ターミナル、ホテルなどにおいて、ユーザが未登録の有料の無線ＬＡＮアクセスポイントに携帯電話端末を接続しようとすると、上記のように登録手続き及び接続設定に手間と時間が掛かり、その場で直ぐに利用できないことがある。また、ユーザが無線ＬＡＮアクセスポイントの設置されている店舗内で携帯電話端末からインターネット等を利用する際も、店員に無線ＬＡＮアクセスポイントへの利用登録を依頼するなどの必要があり、手続きが面倒であった。
【０００５】
ところで、無線ＬＡＮ対応の携帯電話端末の無線ＬＡＮアクセスポイントへの接続設定を行う無線ＬＡＮ接続システムとして、種々のシステムが提案されている。例えば、携帯電話網を経由してダウンロードした無線ＬＡＮ設定用のプログラムに基いて、携帯電話端末のＬＡＮ設定を行う無線ＬＡＮ設定システムが知られている（例えば、特許文献１参照）。しかしながら、このシステムは、ユーザが携帯電話の接続認証の際、ＩＰＳ事業者から回線加入時に予め与えられたアカウント名やパスワード等を認証情報として入力する必要があり、入力に手間が掛かる。
【０００６】
また、情報端末により受信した、設定情報配信サーバからのアクセスポイントへの設定情報と、近傍に存在するアクセスポイントのスキャン結果情報とを基に、接続可能なアクセスポイントを抽出し、指定したアクセスポイントに接続する無線ＬＡＮ設定システムが知られている（例えば、特許文献２参照）。このシステムでは、携帯端末を店舗内等で無線ＬＡＮに接続する際、店舗でネットワークの使用料金精算手続き後、その携帯端末を設定情報配信サーバであるＰＯＳレジスタ等に向け、赤外線等を介してネットワーク接続情報を取得しＬＡＮ接続を行っている。このため、アクセスポイントに接続するには、先にネットワーク使用料金の精算処理が必要であり、また、携帯端末を設定情報配信サーバの近くに持っていかねばならないなど、接続に手間が掛かる。
【０００７】
また、接続パラメータサーバから受け取った接続パラメータを、アクセスポイントと無線端末とに自動設定する無線ＬＡＮ接続システムが知られている（例えば、特許文献３参照）。また、無線端末により、アクセスポイントから取得したアクセスポイントＩＤと、設定情報配布サーバより取得した無線ＬＡＮへ接続するための設定情報とをアクセスポイントに送って接続承認信号を受信して接続設定する無線ＬＡＮ接続システムが知られている（例えば、特許文献４参照）。しかしながら、特許文献３及び特許文献４に示される無線ＬＡＮ接続システムにおいては、ともに、有料の無線ＬＡＮに接続する際、事前にユーザ認証し、ユーザＩＤ、パスワード等が与えられてから無線ＬＡＮへの接続設定がされるので、ユーザ認証やユーザ登録、及び課金手続きなどに手間が掛る。
【０００８】
また、ユーザ識別のための無線タグのＩＤをリーダ装置で読み取り、無線タグＩＤとリーダ装置ＩＤとを携帯電話機からアクセス制御情報提供サーバに送り、上記各ＩＤに基いてユーザを確認し、それら無線タグ及びリーダ装置の正当性が認識された場合にアクセス制御情報を、携帯電話機とアクセスポイントに送信する無線ＬＡＮ接続システムが知られている（例えば、特許文献５参照）。しかしながら、このシステムにおいては、ユーザ識別するために、無線タグとリーダ装置を別途必要とするので、システムが複雑になると共に、無線タグにユーザ識別情報を予め記憶しておく必要があるなど、ユーザ認証及びユーザ登録、設定手続きに手間が掛かる。
【０００９】
このように、上記各特許文献に示される無線ＬＡＮ接続システムにおいては、いずれも携帯電話端末から無線ＬＡＮアクセスポイントへの接続において、ユーザ認証やユーザ登録、及び課金設定等の手続きが簡単ではなく、未登録の有料のアクセスポイントへ接続する際、接続手続きに手間が掛り、直ぐに使用することが容易でない。
【先行技術文献】
【特許文献】
【００１０】
【特許文献１】特開２００６−１５７８１５号公報
【特許文献２】再表２００５−１２１９８１号公報
【特許文献３】再表２００６−１０１０６５号公報
【特許文献４】特開２００５−６５０１８号公報
【特許文献５】特開２００８−２１０７５号公報
【発明の概要】
【発明が解決しようとする課題】
【００１１】
本発明は、上記課題を解決するものであり、無線ＬＡＮ対応の携帯電話端末をアクセスポイントを介して無線ＬＡＮに接続する無線ＬＡＮ接続システムにおいて、携帯電話端末からアクセスポイントへのユーザ登録と接続設定を簡単に行え、利便性の高い、無線ＬＡＮ接続システムを提供することを目的とする。
【課題を解決するための手段】
【００１２】
上記課題を解決するために、請求項１の発明は、無線ＬＡＮ通信機能を有する携帯電話端末と、この携帯電話端末の携帯電話網通信サービスを提供する会社の側に配された携帯電話管理サーバと、無線ＬＡＮアクセスポイントの通信管理を行う無線ＬＡＮサーバとを備え、前記無線ＬＡＮアクセスポイントを介して前記携帯電話端末をインターネット等のネットワークに接続する無線ＬＡＮ接続システムにおいて、前記携帯電話端末は、ユーザ所望の無線ＬＡＮアクセスポイントの識別情報である接続先情報を選択又は入力して指定するための接続先情報指定手段と、前記接続先情報指定手段により指定された接続先情報と、該携帯電話端末の識別情報である電話識別情報を、携帯電話網を介して前記携帯電話管理サーバに送信する電話端末側電話網送信手段と、前記電話端末側電話網送信手段により前記携帯電話管理サーバに前記接続先情報と前記電話識別情報を送信した結果、前記携帯電話管理サーバから携帯電話網を介して送信された無線接続設定情報を受信する電話端末側電話網受信手段と、前記電話端末側電話網受信手段により受信した前記無線接続設定情報を、無線ＬＡＮを介して、前記無線ＬＡＮアクセスポイントに送信するための電話端末側無線送信手段とを備え、前記携帯電話管理サーバは、前記携帯電話端末から前記電話端末側電話網送信手段により送信された前記接続先情報と前記電話識別情報とを受信する電話管理サーバ側電話網受信手段と、前記電話管理サーバ側電話網受信手段により受信した前記電話識別情報を含むユーザ情報と前記接続先情報とを、インターネット等のネットワークを介して、前記無線ＬＡＮサーバに送信する電話管理サーバ側ネットワーク送信手段と、前記電話管理サーバ側ネットワーク送信手段により前記無線ＬＡＮサーバに前記ユーザ情報と前記接続先情報とを送信した結果、前記無線ＬＡＮサーバから送信される無線接続設定情報を、インターネット等のネットワークを介して受信する電話管理サーバ側ネットワーク受信手段と、前記電話管理サーバ側ネットワーク受信手段により受信した無線接続設定情報を、携帯電話網を介して前記携帯電話端末に送信する電話管理サーバ側電話網送信手段とを備え、前記無線ＬＡＮサーバは、前記携帯電話管理サーバから前記電話管理サーバ側ネットワーク送信手段により送信された前記ユーザ情報と前記接続先情報とを、インターネット等のネットワークを介して受信する無線ＬＡＮサーバ側ネットワーク受信手段と、前記無線ＬＡＮサーバ側ネットワーク受信手段により受信した前記ユーザ情報と前記接続先情報とに基づいて、前記接続先情報に対応した無線ＬＡＮアクセスポイントに接続可能なユーザとして、前記携帯電話端末の所有者を登録するユーザ登録手段と、前記ユーザ登録手段によるユーザ登録後に、インターネット等のネットワークを介して、前記携帯電話管理サーバに前記無線接続設定情報を送信する無線ＬＡＮサーバ側ネットワーク送信手段とを備え、前記携帯電話端末が、前記携帯電話管理サーバを介して前記無線ＬＡＮサーバから受信した前記無線接続設定情報を、前記電話端末側無線送信手段により前記無線ＬＡＮアクセスポイントに送信することにより、該携帯電話端末の前記無線ＬＡＮアクセスポイントへの接続設定を行うようにしたものである。
【００１３】
請求項２の発明は、請求項１に記載の無線ＬＡＮ接続システムにおいて、前記携帯電話管理サーバは、前記電話管理サーバ側ネットワーク送信手段により、前記無線ＬＡＮサーバに、前記携帯電話端末の所有者への課金方法の設定に必要な情報を送信し、前記無線ＬＡＮサーバは、前記無線ＬＡＮサーバ側ネットワーク受信手段により受信した、前記課金方法の設定に必用な情報に基づいて、前記携帯電話端末の所有者に対する課金方法の設定を行う課金方法設定手段をさらに備えたものである。
【００１４】
請求項３の発明は、請求項１又は請求項２に記載の無線ＬＡＮ接続システムにおいて、前記無線接続設定情報は、パスワードのみ又はパスワードとユーザＩＤの両方であるものである。
【発明の効果】
【００１５】
請求項１の発明によれば、携帯電話端末は、ユーザがアクセスポイントの接続先情報を入力すると、この接続先情報と電話識別情報を、携帯電話網を介して携帯電話管理サーバに送信し、携帯電話管理サーバは、この電話識別情報を含むユーザ情報と接続先情報を無線ＬＡＮサーバに送る。そして、無線ＬＡＮサーバは、携帯電話管理サーバから送られた接続先情報と電話識別情報を含むユーザ情報とに基づいて、携帯電話端末の所有者をユーザ登録し、携帯電話管理サーバを介して、無線接続設定情報を携帯電話端末に送信する。そして、携帯電話端末は、この無線接続設定情報を無線ＬＡＮアクセスポイントに送信することにより、自動的に無線ＬＡＮアクセスポイントへの接続設定を行う。従って、ユーザが有料の無線ＬＡＮアクセスポイントを新規に利用するとき、アクセスポイントの接続先情報を入力するだけでユーザ登録されて自動的に接続設定されるので、簡単に無線ＬＡＮに接続することが可能になり、利便性が向上する。
【００１６】
請求項２の発明によれば、無線ＬＡＮ管理者側での課金処理が簡単になり、利便性が高まる。また、無線ＬＡＮ使用料の課金を携帯電話端末の電話使用料の課金に統一するのが容易になる。
【００１７】
請求項３の発明によれば、無線ＬＡＮ接続設定が極めて簡単にできる。
【図面の簡単な説明】
【００１８】
【図１】本発明の一実施形態に係る無線ＬＡＮ接続システムの構成図。
【図２】上記システムの携帯電話管理サーバの電気ブロック構成図。
【図３】上記システムの無線ＬＡＮサーバの電気ブロック構成図。
【図４】上記システムの携帯電話端末の電気ブロック構成図。
【図５】上記システムの折畳み型携帯電話端末を開放した状態の平面図。
【図６】上記実施形態の動作を説明するためのフローチャート。
【発明を実施するための形態】
【００１９】
以下、本発明の一実施形態の無線ＬＡＮ接続システムについて、図面を参照して説明する。図１に示されるように、本実施形態の無線ＬＡＮ接続システム５０は、無線ＬＡＮ通信機能を有する携帯電話端末１と、この携帯電話端末１の携帯電話網通信サービスを提供する会社の側に配された携帯電話管理サーバ２０と、無線ＬＡＮアクセスポイント（以下、アクセスポイントという）４０の通信管理を行う無線ＬＡＮサーバ３０とを備え、アクセスポイント４０を介して携帯電話端末１をインターネット等のネットワークに接続するものである。
【００２０】
図２に示されるように、携帯電話管理サーバ２０は、電話網受信部（電話管理サーバ側電話網受信手段）２１、電話サーバＮＷ送信部（電話管理サーバ側ネットワーク送信手段）２２、電話サーバＮＷ受信部（電話管理サーバ側ネットワーク受信手段）２３、電話網送信部（電話管理サーバ側電話網送信手段）２４、ユーザ認証部２５、課金管理部２６、及び制御部２７を備えている。また、携帯電話管理サーバ２０は、インターネットを介して無線ＬＡＮサーバ３０と接続されている。
【００２１】
電話網受信部２１は、携帯電話端末１からその端末電話送信部３（後述）により送信されたアクセスポイント４０の接続先情報と、電話識別情報（ここでは、電話番号）とを受信する。電話サーバＮＷ送信部２２は、電話網受信部２１により受信した電話番号を含むユーザ情報と接続先情報とを、インターネット等のネットワークを介して、無線ＬＡＮサーバ３０に送信する。電話サーバＮＷ受信部２３は、電話サーバＮＷ送信部２２により無線ＬＡＮサーバ３０にユーザ情報と接続先情報とを送信した結果、無線ＬＡＮサーバ３０から送信される無線接続設定情報（例えば、パスワード、ユーザＩＤなど）を、インターネット等のネットワークを介して受信する。
【００２２】
電話網送信部２４は、電話サーバＮＷ受信部２３で受信した無線接続設定情報を、携帯電話網を介して携帯電話端末１に送信する。ユーザ認証部２５は、携帯電話端末の使用者を特定するためのユーザ認証を行う。ここでは、ユーザ認証部２５は、携帯電話端末１から送られた電話番号含むユーザ情報から、既に携帯電話契約の際、取得されているユーザの個人情報等を基にしてユーザ認証を行うことができる。課金管理部２６は、ユーザ認証部２５によるユーザ認証に基づき、携帯電話契約のユーザを特定し、携帯電話使用料の課金管理を行う。制御部２７は、上記各部及び携帯電話管理サーバ２０全体を制御する。また、制御部２７、ユーザ認証部２５、及び課金管理部２６は、共通のＣＰＵとメモリを有し、メモリに記憶した各種制御ソフト、認証ソフト、課金管理ソフト等を基に、ＣＰＵでそれぞれの機能を制御する。
【００２３】
図３に示されるように、無線ＬＡＮサーバ３０は、ＬＡＮサーバ受信部（無線ＬＡＮサーバ側ネットワーク受信手段）３１、ユーザ登録部（ユーザ登録手段）３２、ＬＡＮサーバ送信部（無線ＬＡＮサーバ側ネットワーク送信手段）３３、課金設定部３４、及び制御部３５を備えている。
【００２４】
ＬＡＮサーバ受信部３１は、携帯電話管理サーバ２０から電話サーバＮＷ送信部２２により送信したユーザ情報とアクセスポイントの接続先情報とを、インターネット等のネットワークを介して受信する。ユーザ登録部３２は、ＬＡＮサーバ受信部３１により受信したユーザ情報とアクセスポイントの接続先情報とに基づいて、その接続先情報に対応したアクセスポイント４０に接続可能なユーザとして、携帯電話端末１の所有者を登録すると共に、携帯電話端末１による無線ＬＡＮ接続を許可するための無線接続設定情報（例えば、パスワード、ユーザＩＤなど）を発行する。ＬＡＮサーバ送信部３３は、ユーザ登録部３２によるユーザ登録後に、インターネット等のネットワークを介して、携帯電話管理サーバ２０に無線接続設定情報を送信する。なお、ＬＡＮサーバ受信部３１及びＬＡＮサーバ送信部３３は、アクセスポイント４０とも受信及び送信可能であり、無線ＬＡＮサーバ３０とアクセスポイント４０間で必要な情報を互に伝達することができる。
【００２５】
図４に示されるように、携帯電話端末１は、ＬＡＮ接続先設定部（接続先情報指定手段）２、端末電話送信部（電話端末側電話網送信手段）３、端末電話受信部（電話端末側電話網受信手段）４、端末ＬＡＮ送信部（電話端末側無線送信手段）５、端末ＬＡＮ受信部（電話端末側無線受信手段）６、制御部７、記憶部８、入力部９、表示部１０、カメラ部１１、及び音声部１２を備える。
【００２６】
ＬＡＮ接続先設定部２は、ユーザ所望のアクセスポイントの識別情報である接続先情報を入力できると共に、ＬＡＮ接続を開始するための入力部９と、入力部９から入力される接続先情報を基に無線ＬＡＮに携帯電話端末１を自動接続するための設定プログラムと、この設定プログラムを動作させるためのＣＰＵとを備えている。この設定プログラムは、記憶部８に記憶されており、無線ＬＡＮ設定開始時にＬＡＮ接続先設定部２にダウンロードされる。ここでは、入力部９は、携帯電話端末１を操作するための操作キーやタッチパネルなどの入力操作機能を備え、ユーザは入力部９のこれら入力操作機能を用いて、アクセスポイントの接続先情報を選択又は入力して、接続先情報の設定を行うことができる。この接続先情報としては、入手可能なアクセスポイントの識別番号である登録用番号（ＳＳＩＤ）を用いることができる。
【００２７】
また、ＬＡＮ接続先設定部２は、無線ＬＡＮサーバ３０より無線ＬＡＮ接続を許可するためのパスワード等の無線接続設定情報を取得したときは、設定プログラムの接続用アプリケーションプログラムにパスワードの入力設定を自動的に行って、そのパスワードを端末ＬＡＮ送信部５からアクセスとポイント４０に送信する。なお、ＬＡＮ接続先設定部２は、無線ＬＡＮサーバ３０より上記パスワード等を取得したとき、そのパスワードを記憶部８に記憶し、必要なときに取り出せるようになっている。
【００２８】
端末電話送信部３は、ＬＡＮ接続先設定部２により指定された接続先情報と、携帯電話端末１の識別情報である電話番号（電話識別情報）とを、携帯電話網を介して携帯電話管理サーバ２０に送信する。また、端末電話受信部４は、端末電話送信部３により携帯電話管理サーバ２０に上記接続先情報と電話番号を送信した結果、携帯電話管理サーバ２０から携帯電話網を介して送信された無線接続設定情報を受信する。
【００２９】
端末ＬＡＮ送信部５は、携帯電話管理サーバ２０側から送られ、端末電話受信部４で受信されたパスワード等の無線接続設定情報を、無線ＬＡＮを介して、アクセスポイント４０に送信する。また、端末ＬＡＮ受信部６は、無線接続されるアクセスポイント４０からの送信電波を受信する。
【００３０】
制御部７は、ＣＰＵを有し、携帯電話端末１内の前記各部及び携帯電話端末１全体の制御を、記憶部８に予め記憶された各種制御用プログラムを利用して実行する。また、制御部７は、アクセスポイントの接続先情報を得るために、例えば、入力部９でＬＡＮ接続設定が開始されると、近くのアクセスポイントが常時送信しているＳＳＩＤを含む電波を端末ＬＡＮ受信部６でサーチして受信し、この受信電波よりＳＳＩＤを取り出し、表示部１０に画面表示し、ユーザがこの表示画面からアクセスポイントを選択できるようにしてる。記憶部８は、ＲＯＭ、ＳＲＡＭ及びフラッシュメモリ等の半導体メモリを適宜に組合わせて構成され、制御部７による制御用の制御プログラムや携帯電話機能ソフト、ＬＡＮ接続先設定部２でアクセスポイント接続先を設定するための設定プログラム等を記憶する。
なお、制御部７とＬＡＮ接続先設定部２は、ＣＰＵを共用してもよい。
【００３１】
カメラ部１１は、アクセスポイント４０の接続先情報（ＳＳＩＤ等）のバーコード表示を画像認識で読取り、読込んだバーコードを元の接続先情報に復号することができる。音声部１２は、通話音声処理や音声出力を行うと共に、制御部７からの音声メッセージの出力等を行う。
【００３２】
図５に示すように、携帯電話端末１は、例えば、表示部１０にタッチパネル機能を設けたものとし、その表示画面上に選択メニューを表示し、メニュー表示からＬＡＮ接続設定を行うようにしてもよい。ここでは、ユーザがタッチパネルで無線ＬＡＮ接続設定を選択したとき、制御部７は、端末ＬＡＮ受信部６で受信された各種アクセスポイントからの信号に含まれるＳＳＩＤを表示部１０の表示画面に表示するように制御する。このとき、ユーザは、この表示画面上の各アクセスポイントのＳＳＩＤから、いずれかを選択し、ＬＡＮ接続するためのアクセスポイントの接続先情報を設定することができる。
【００３３】
また、この接続先情報は、予め公表されている公衆無線ＬＡＮアクセスポイントに接続するための登録用番号（ＳＳＩＤ）としてもよい。また、入力部９として、携帯電話端末１が有する操作キーを用いて、アクセスポイントの登録用番号を直接入力してもよい。また、操作キーの中に無線ＬＡＮ設定ボタンを設け、これを操作して無線ＬＡＮ設定開始を指示してもよい。また、ＬＡＮ接続先設定部２は、カメラ部１１で読取ったアクセスポイント接続先を示すバーコードから接続先情報を取得して自動入力することもできる。
【００３４】
ここで、本無線ＬＡＮ接続システム５０によるＬＡＮ接続設定の動作について、図６を参照して説明する。ユーザが入力部９により無線ＬＡＮ設定を選択すると（Ｓ１）、制御部７は記憶部８に記憶されている無線ＬＡＮの設定用プログラムをＬＡＮ接続先設定部２にダウンロードし、ＬＡＮ接続用アプリケーションを起動させる（Ｓ２）。制御部７は、端末ＬＡＮ受信部６で受信された各種アクセスポイントの接続先情報（登録用番号など）を、表示部１０の表示画面に表示し、ユーザがその表示画面から所望のアクセプトポイントの接続先情報を選択（または既知の登録用番号等の接続先情報を入力部９より直接入力）して設定すると（Ｓ３）、ＬＡＮ接続先設定部２は、この接続先情報と携帯電話端末１の電話番号とを端末電話送信部３から携帯電話網を介して、携帯電話管理サーバ２０に送信する（Ｓ４）。
【００３５】
次いで、携帯電話管理サーバ２０は、電話網受信部２１で受信した、携帯電話端末１から送信されたユーザの電話番号を含むユーザ情報（例えば、携帯電話契約時の個人情報等）を基に、ユーザ認証部２５でユーザ認証を行い、利用者確認を完了すると（Ｓ５でＹｅｓ）、この認証されたユーザ情報と、アクセスポイント４０の接続先情報と、携帯電話端末１の所有者への課金方法の設定に必要な情報とを、電話サーバＮＷ送信部２２から無線ＬＡＮサーバ３０に送付する（Ｓ６）。
【００３６】
続いて、無線ＬＡＮサーバ３０は、携帯電話管理サーバ２０からの上記各情報に基き、ユーザ登録部３２でユーザ登録を行うと共に、課金設定部３４で課金方法を設定し、例えば、無線ＬＡＮ使用料金をユーザの電話使用料金に統一するように設定する（Ｓ７）。また、無線ＬＡＮサーバ３０は携帯電話管理サーバ２０を介して、携帯電話端末１に、上記接続先情報のアクセスポイント４０への接続を許可するためのパスワード（無線接続設定情報）を送付する（Ｓ８）。
【００３７】
携帯電話端末１は、無線ＬＡＮサーバ３０から送付された上記接続許可のパスワードを取得すると、ＬＡＮ接続先設定部２によりこのパスワードを接続用アプリケーションプログラムに自動設定する（Ｓ９）。ここで、制御部７は、携帯電話端末１を携帯電話通信から無線ＬＡＮ通信に切替え、そのパスワードを端末ＬＡＮ送信部５からアクセスポイント４０へ送信する。このとき、携帯電話端末１のアクセスポイント４０への接続設定が行われ、無線ＬＡＮ利用が開始される（Ｓ１０）。同時に、携帯電話管理サーバ２０及び無線ＬＡＮサーバ３０は課金動作を開始し（Ｓ１１）、無線ＬＡＮ接続が終了したとき（Ｓ１２でＹｅｓ）、課金が停止され（Ｓ１３）、終了する。
【００３８】
本実施形態の無線ＬＡＮ接続システム５０によれば、携帯電話端末１は、ユーザがアクセスポイント４０の接続先情報を入力すると、この接続先情報と電話番号を、携帯電話網を介して携帯電話管理サーバ２０に送信し、携帯電話管理サーバ２０は、この電話番号を含むユーザ情報と接続先情報を無線ＬＡＮサーバ３０に送る。そして、無線ＬＡＮサーバ３０は、携帯電話管理サーバ２０から送られた接続先情報と電話番号を含むユーザ情報とに基づいて、携帯電話端末１の所有者をユーザ登録し、携帯電話管理サーバ２０を介して、無線接続設定情報を携帯電話端末１に送信する。そして、携帯電話端末１は、この無線接続設定情報を無線ＬＡＮのアクセスポイント４０に送信することにより、自動的にアクセスポイント４０への接続設定を行う。従って、ユーザが有料のアクセスポイントを新規に利用するとき、アクセスポイントの接続先情報（登録用番号など）を入力するだけでユーザ登録されて自動的に接続設定されるので、無線ＬＡＮ接続に詳しくなくても簡単に無線ＬＡＮに接続することが可能になり、利便性が向上する。また、このように無線ＬＡＮの利用手続きが簡単になり、事前登録無しでも、その場で手軽にＬＡＮ接続でき、ユーザの空き時間に、また、使用したいときなどに直ぐに利用開始できることから、サービス性が高まり、無線ＬＡＮ事業者は新規ユーザを獲得する可能性が広がる。
【００３９】
また、ユーザ認証を、通常、高いセキュリティ機能を有してキャリア回線を管理する携帯電話管理サーバ２０側で行うので、無線ＬＡＮサーバ３０におけるユーザ認証処理を簡単にでき、または省くことができ、無線ＬＡＮサーバ３０でのユーザ登録処理が容易となる。
【００４０】
また、無線ＬＡＮ使用料の課金を携帯電話端末の電話使用料の課金に統一できるので、ユーザは携帯電話使用料と無線ＬＡＮ使用料を別々に支払う必要がなくなると共に、無線ＬＡＮ管理者側での課金処理が簡単になり、利便性が高まる。
【００４１】
また、無線接続設定情報をパスワードのみとすることにより、無線ＬＡＮ接続の設定プログラムが極めて簡単なる。また、無線接続設定情報をパスワード及びユーザＩＤの２つとすることにより、無線ＬＡＮ接続設定におけるセキュリティを高くすることができる。
【００４２】
また、携帯電話端末１と携帯電話管理サーバ２０間で送受されるユーザ識別情報（電話番号）と、携帯電話管理サーバ２０と無線ＬＡＮサーバ３０間で送受されるユーザ識別情報とを同じとすることにより、情報交換を簡単にすることができる。また、上記各通信間で１人のユーザに対し互に異なるユーザ識別情報を用いることにより、ユーザの個人情報のセキュリティを高めることができる。また、携帯電話端末１と携帯電話管理サーバ２０間、また、携帯電話管理サーバ２０と無線ＬＡＮサーバ３０間の各通信信号をそれぞれ暗号化して送受してもよい。
【００４３】
なお、本発明は、上記実施形態の構成に限られず、発明の趣旨を変更しない範囲で種々の変形が可能である。例えば、上記実施形態では、携帯電話端末が携帯電話網と無線ＬＡＮの２つのネットワークに接続する場合の例を示したが、これに限らず、例えば、どれか一つの通信回線がセキュリティの高いユーザ認証や課金システムが確立している通信ネットワークであればよい。また、ＬＡＮ接続を許可する無線接続設定情報は、パスワードとユーザＩＤの２つ以外の情報であってもよく、また、３つ以上であってもよい。また、電話識別情報は電話番号以外であってもよい。
【符号の説明】
【００４４】
１    携帯電話端末
２    ＬＡＮ接続先設定部（接続先情報指定手段）
３    端末電話送信部（電話端末側電話網送信手段）
４    端末電話受信部（電話端末側電話網受信手段）
５    端末ＬＡＮ送信部（電話端末側無線送信手段）
６    端末ＬＡＮ受信部
９    入力部（接続先情報指定手段）
２０  携帯電話管理サーバ
２１  電話網受信部（電話管理サーバ側電話網受信手段）
２２  電話サーバＮＷ送信部（電話管理サーバ側ネットワーク送信手段）
２３  電話サーバＮＷ受信部（電話管理サーバ側ネットワーク受信手段）
２４  電話網送信部（電話管理サーバ側電話網送信手段）
３０  無線ＬＡＮ管理サーバ
３１  ＬＡＮサーバ受信部（無線ＬＡＮサーバ側ネットワーク受信手段）
３２  ユーザ登録手段
３３  ＬＡＮサーバ送信部（無線ＬＡＮサーバ側ネットワーク送信手段）
３４  課金設定部（課金方法設定手段）
４０  アクセスポイント（無線ＬＡＮアクセスポイント）
５０  無線ＬＡＮ接続システム
【図１】
2012244599.tif 000003
【図２】
2012244599.tif 000004
【図３】
2012244599.tif 000005
【図４】
2012244599.tif 000006
【図５】
2012244599.tif 000007
【図６】
2012244599.tif 000008